(57)【要約】【課題】  Ｘ線保護回路を備えたＣＲＴ表示装置であって、外部電源からの給電が停止した際に、Ｘ線保護回路の誤動作によって装置の電源が強制的にオフ状態とされることによるオートパワーオン機能の動作への弊害の発生を防止したＣＲＴ表示装置の提供。【解決手段】  停電検出回路２０からのパワーフェイル信号がローレベルである場合（外部電源から給電がない場合）には、Ｘ線保護回路によるＸ線端子３１の電圧値の監視（ＣＲＴ７０の監視）を停止することにより、外部電源からの給電が停止した際に、Ｘ線保護回路が、「ＣＲＴ７０からのＸ線放射量が規定値以上である」と誤認することを防止し、Ｘ線保護回路により装置の電源が強制的にオフ状態とされることを防止する。【選択図】  図１
2006227537.tif 000002
【特許請求の範囲】
【請求項１】
外部電源からの電力供給を受けて装置全体への電源供給を行う電源部と、前記外部電源から前記電源部への電力の供給の有無を検出し当該検出結果をパワーフェイル信号として出力する停電検出回路と、映像を表示するブラウン管と、当該ブラウン管の動作状況を監視し、当該動作状況が所定の条件に該当する場合には前記電源部からの電力供給を停止させるＸ線保護回路と、を備えるＣＲＴ表示装置であって、前記パワーフェイル信号が、前記外部電源から前記電源部への電力の供給がない状態であることを示している場合には、前記Ｘ線保護回路による前記電源部からの電力供給の停止処理を行わせないようにしたことを特徴とするＣＲＴ表示装置。
【請求項２】
前記パワーフェイル信号が、前記外部電源から前記電源部への電力の供給がない状態であることを示している場合には、前記ブラウン管の動作状況の監視を停止することによって、前記Ｘ線保護回路による前記電源部からの電力供給の停止処理を行わせないようにしたことを特徴とする請求項１記載のＣＲＴ表示装置。
【請求項３】
外部電源からの電力供給を受けて装置全体への電源供給を行う電源部と、前記外部電源から前記電源部への電力の供給の有無を検出し当該検出結果をパワーフェイル信号として出力する停電検出回路と、映像を表示するブラウン管と、当該ブラウン管の動作状況を監視し、当該動作状況が所定の条件に該当する場合には前記電源部からの電力供給を停止させるＸ線保護回路と、を備えるＣＲＴ表示装置における前記Ｘ線保護回路の制御方法であって、前記パワーフェイル信号が、前記外部電源から前記電源部への電力の供給がない状態であることを示している場合には、前記Ｘ線保護回路による前記電源部からの電力供給の停止処理を行わせないようにしたことを特徴とするＸ線保護回路の制御方法。
【請求項４】
前記パワーフェイル信号が、前記外部電源から前記電源部への電力の供給がない状態であることを示している場合には、前記ブラウン管の動作状況の監視を停止することによって、前記Ｘ線保護回路による前記電源部からの電力供給の停止処理を行わせないようにしたことを特徴とする請求項３記載のＸ線保護回路の制御方法。
【請求項５】
前記停電検出回路から出力されるパワーフェイル信号によってスイッチ動作を行うスイッチ回路であって、前記パワーフェイル信号が、前記外部電源から前記電源部への電力の供給がない状態であることを示している場合には、前記ブラウン管の動作状況を示す信号を前記Ｘ線保護回路へと入力する信号線を、基準電位となるグランド線と接続するＸ線保護回路制御回路を備えたことを特徴とする請求項１記載のＣＲＴ表示装置。
【請求項６】
前記停電検出回路に備えられる前記パワーフェイル信号を出力するパワーフェイル出力端子を、第１のトランジスタのベースに接続し、第１のトランジスタのコレクタに定電圧源を接続し、第１のトランジスタのエミッタをグランドと接続し、前記ブラウン管の動作状況を示す信号を前記Ｘ線保護回路へと入力する信号線とコレクタを接続される第２のトランジスタのベースと、第１のトランジスタのコレクタとを接続し、第２のトランジスタのエミッタをグランドと接続することによって、前記Ｘ線保護回路制御回路を構成したことを特徴とする請求項５記載のＣＲＴ表示装置。
【発明の詳細な説明】
【技術分野】
【０００１】
本発明はＣＲＴ表示装置に関し、特に、Ｘ線保護回路の動作制御について考慮されたＣＲＴ表示装置に関する。
【背景技術】
【０００２】
ＣＲＴ表示装置には、ブラウン管（ＣＲＴ）に備えられている電子銃から放射される電子の量が一定量を越えると、ＣＲＴの表面から放射される電子（以下、Ｘ線放射とする）の量が人体に有害なレベルとなるため、これを防止するために、ＣＲＴの動作状況（例えば、ＣＲＴのカソードに備えられるヒータの電源電圧）を監視し、当該動作状況が所定の条件に該当する場合（例えば、ヒータの電源電圧が所定のレベルを超えた場合）には、装置の電源をオフ状態（いわゆるスタンバイ状態や、主電源のオフ状態）にするＸ線保護回路が備えられている。
【０００３】
Ｘ線保護回路は、コスト上の要請などから、「実際にＣＲＴの表面から放射されているＸ線の量を測定して、これが一定値を超えた場合には装置の電源をオフ状態にする」というものではなく、上記したごとく、例えば、ＣＲＴのカソードに備えられるヒータの電源電圧を監視するなど（その他ＣＲＴに印加される高電圧を監視する場合等もある）して、Ｘ線放射量の測定を擬似的に行っている。従って、実際にはＸ線放射の量が規定値以下であるにもかかわらず、「Ｘ線放射の量が規定値以上である」と判断（誤認）してしまう場合が生じ得る。このような、Ｘ線保護回路のように安全のために設けられている保護回路の“誤動作”を防止するための従来技術が、特許文献１などによって開示されている。
【０００４】
【特許文献１】特開平８−７０４７７号公報
【発明の開示】
【発明が解決しようとする課題】
【０００５】
ＣＲＴ表示装置には、装置の電源コードが抜かれた等の場合（外部電源からの給電が停止した場合）に、電源コードが抜かれた際の装置の状態（装置の電源がオンであったのかオフであったのか、受信（視聴）していたチャンネルは何チャンネルであったのかなど）を記憶しておき、再度電源コードが入れられた（外部電源からの給電が開始された）場合に、自動的に“電源コードが抜かれた際の装置の状態”で装置を稼働させるオートパワーオンと呼ばれる機能を備えたものがある。（近年では電子装置の“待機電力”を節約するために、電源供給のオン／オフをすることが可能なスイッチのついた「電源タップ」の普及も進んでおり、当該電源タップのスイッチをオフとされた場合には、電子装置側から見ると、装置の電源コードを抜かれたのと同様の状況となるため、このような場合（外部電源からの給電が停止する場合）が発生する蓋然性は高くなりつつあるといえ、オートパワーオン機能が利用される状況が増加する傾向にあるといえる。）
【０００６】
一方で、前述したごとくＸ線保護回路では、ヒータの電源電圧を監視し、これと所定の電圧とを比較すること等によって、“Ｘ線放射の量”が規定値以上となっているか否かを判断しているが、装置の電源コードが抜かれた場合（外部電源からの給電が停止した場合）には、前記比較対象である“所定の電圧”を供給する電源の電位が低下してしまうことで、“ヒータの電源電圧”を下回り、これによりＸ線保護回路が「“Ｘ線放射の量”が規定値以上である」と誤認してしまい、装置の電源をオフ状態にしてしまう場合がある。このような場合、前記したオートパワーオン機能が正常に動作しない（外部電源からの給電が停止した際に装置の電源がオン状態であっても、マイコンが処理（給電停止を受けて行う装置内の各部の電源オフ処理や各部の設定・状態等を記憶する処理など）を行っている間に、Ｘ線保護回路によって電源オフ状態とされ、マイコンが、「電源オフ処理や各部の設定・状態等を記憶する処理を完全に完了していない状態で装置の電源はオフ状態である」と認識してしまうため、再度外部電源からの給電が開始された際に、装置を電源オフ状態で稼働させてしまう。）などの問題が発生していた。
【０００７】
本発明は、上述した点に鑑み、Ｘ線保護回路を備えたＣＲＴ表示装置であって、外部電源からの給電が停止した際に、Ｘ線保護回路の誤動作により、装置の電源がオフ状態とされることを防止したＣＲＴ表示装置を提供することを目的とする。
【課題を解決するための手段】
【０００８】
請求項１のＣＲＴ表示装置は、外部電源からの電力供給を受けて装置全体への電源供給を行う電源部と、前記外部電源から前記電源部への電力の供給の有無を検出し当該検出結果をパワーフェイル信号として出力する停電検出回路と、映像を表示するブラウン管と、当該ブラウン管の動作状況を監視し、当該動作状況が所定の条件に該当する場合には前記電源部からの電力供給を停止させるＸ線保護回路と、を備えるＣＲＴ表示装置であって、前記パワーフェイル信号が、前記外部電源から前記電源部への電力の供給がない状態であることを示している場合には、前記Ｘ線保護回路による前記電源部からの電力供給の停止処理を行わせないようにしたことを特徴とする。
【０００９】
上記構成によれば、パワーフェイル信号が、外部電源から電源部への電力の供給がない状態であることを示している場合には、Ｘ線保護回路による電源部からの電力供給の停止処理が行われない。「電源部からの電力供給の停止」とは、装置の電源をオフ状態にするということであり、「電源オフ状態」とは、いわゆるスタンバイ状態（装置内の不要な部分への電源供給を停止し、マイコン等の一部の部分のみ通電状態である状態）や、装置の主電源がオフとされた状態（この場合であってもマイコンは通電状態である場合もある）などを示す。
【００１０】
請求項２のＣＲＴ表示装置は、請求項１記載のＣＲＴ表示装置であって、前記パワーフェイル信号が、前記外部電源から前記電源部への電力の供給がない状態であることを示している場合には、前記ブラウン管の動作状況の監視を停止することによって、前記Ｘ線保護回路による前記電源部からの電力供給の停止処理を行わせないようにしたことを特徴とする。
【００１１】
上記構成によれば、パワーフェイル信号が、外部電源から電源部への電力の供給がない状態であることを示している場合には、Ｘ線保護回路によるブラウン管の動作状況の監視を停止するため、外部電源からの給電が停止したことに起因して、Ｘ線保護回路が「“Ｘ線放射の量”が規定値以上である」と誤認してしまうことが防止される。
【００１２】
請求項３のＸ線保護回路の制御方法は、外部電源からの電力供給を受けて装置全体への電源供給を行う電源部と、前記外部電源から前記電源部への電力の供給の有無を検出し当該検出結果をパワーフェイル信号として出力する停電検出回路と、映像を表示するブラウン管と、当該ブラウン管の動作状況を監視し、当該動作状況が所定の条件に該当する場合には前記電源部からの電力供給を停止させるＸ線保護回路と、を備えるＣＲＴ表示装置における前記Ｘ線保護回路の制御方法であって、前記パワーフェイル信号が、前記外部電源から前記電源部への電力の供給がない状態であることを示している場合には、前記Ｘ線保護回路による前記電源部からの電力供給の停止処理を行わせないようにしたことを特徴とする。
【００１３】
請求項４のＸ線保護回路の制御方法は、請求項３記載のＸ線保護回路の制御方法であって、前記パワーフェイル信号が、前記外部電源から前記電源部への電力の供給がない状態であることを示している場合には、前記ブラウン管の動作状況の監視を停止することによって、前記Ｘ線保護回路による前記電源部からの電力供給の停止処理を行わせないようにしたことを特徴とする。
【００１４】
請求項５のＣＲＴ表示装置は、請求項１記載のＣＲＴ表示装置であって、前記停電検出回路から出力されるパワーフェイル信号によってスイッチ動作を行うスイッチ回路であって、前記パワーフェイル信号が、前記外部電源から前記電源部への電力の供給がない状態であることを示している場合には、前記ブラウン管の動作状況を示す信号を前記Ｘ線保護回路へと入力する信号線を、基準電位となるグランド線と接続するＸ線保護回路制御回路を備えたことを特徴とする。
【００１５】
上記構成によれば、パワーフェイル信号が、外部電源から電源部への電力の供給がない状態であることを示している場合には、Ｘ線保護回路制御回路によって、ブラウン管の動作状況を示す信号をＸ線保護回路へと入力する信号線がグランドレベルとされる。
【００１６】
請求項６のＣＲＴ表示装置は、請求項５記載のＣＲＴ表示装置であって、前記停電検出回路に備えられる前記パワーフェイル信号を出力するパワーフェイル出力端子を、第１のトランジスタのベースに接続し、第１のトランジスタのコレクタに定電圧源を接続し、第１のトランジスタのエミッタをグランドと接続し、前記ブラウン管の動作状況を示す信号を前記Ｘ線保護回路へと入力する信号線とコレクタを接続される第２のトランジスタのベースと、第１のトランジスタのコレクタとを接続し、第２のトランジスタのエミッタをグランドと接続することによって、前記Ｘ線保護回路制御回路を構成したことを特徴とする。
【００１７】
上記構成によれば、２つのトランジスタによって、「Ｘ線保護回路制御回路」を構成することができる。
【発明の効果】
【００１８】
本発明の請求項１の、外部電源からの電力供給を受けて装置全体への電源供給を行う電源部と、前記外部電源から前記電源部への電力の供給の有無を検出し当該検出結果をパワーフェイル信号として出力する停電検出回路と、映像を表示するブラウン管と、当該ブラウン管の動作状況を監視し、当該動作状況が所定の条件に該当する場合には前記電源部からの電力供給を停止させるＸ線保護回路と、を備えるＣＲＴ表示装置であって、前記パワーフェイル信号が、前記外部電源から前記電源部への電力の供給がない状態であることを示している場合には、前記Ｘ線保護回路による前記電源部からの電力供給の停止処理を行わせないようにしたことを特徴とするＣＲＴ表示装置によれば、パワーフェイル信号が、外部電源から電源部への電力の供給がない状態であることを示している場合には、Ｘ線保護回路による電源部からの電力供給の停止処理が行われないため、外部電源からの給電が停止したことに起因して、Ｘ線保護回路が「“Ｘ線放射の量”が規定値以上である」と誤認してしまったような場合であっても、Ｘ線保護回路による装置の電源オフ処理が行われることが防止される。従って、オートパワーオン機能を備えたＣＲＴ表示装置においても、「外部電源からの給電が停止した際に、装置の電源がオン状態であるにもかかわらず、マイコンが処理（給電停止を受けて行う装置内の各部の電源オフ処理や各部の設定・状態等を記憶する処理など）を行っている間に、Ｘ線保護回路によって電源オフ状態とされ、マイコンが、「装置の電源はオフ状態である」と認識してしまうため、再度外部電源からの給電が開始された際に、装置を電源オフ状態で稼働させてしまう。」という問題が発生することを防止することができる。
【００１９】
本発明の請求項２の、前記パワーフェイル信号が、前記外部電源から前記電源部への電力の供給がない状態であることを示している場合には、前記ブラウン管の動作状況の監視を停止することによって、前記Ｘ線保護回路による前記電源部からの電力供給の停止処理を行わせないようにしたことを特徴とする請求項１記載のＣＲＴ表示装置によれば、パワーフェイル信号が、外部電源から電源部への電力の供給がない状態であることを示している場合には、Ｘ線保護回路によるブラウン管の動作状況の監視を停止するため、外部電源からの給電が停止したことに起因して、Ｘ線保護回路が「“Ｘ線放射の量”が規定値以上である」と誤認してしまうことが防止される。従って、オートパワーオン機能を備えたＣＲＴ表示装置においても、オートパワーオン機能が正常に動作しないという問題が発生することを防止することができる。
【００２０】
本発明の請求項５の、前記停電検出回路から出力されるパワーフェイル信号によってスイッチ動作を行うスイッチ回路であって、前記パワーフェイル信号が、前記外部電源から前記電源部への電力の供給がない状態であることを示している場合には、前記ブラウン管の動作状況を示す信号を前記Ｘ線保護回路へと入力する信号線を、基準電位となるグランド線と接続するＸ線保護回路制御回路を備えたことを特徴とする請求項１記載のＣＲＴ表示装置によれば、パワーフェイル信号が、外部電源から電源部への電力の供給がない状態であることを示している場合には、Ｘ線保護回路制御回路によって、ブラウン管の動作状況を示す信号をＸ線保護回路へと入力する信号線がグランドレベルとされるため、外部電源からの給電が停止したことに起因して、Ｘ線保護回路が「“Ｘ線放射の量”が規定値以上である」と誤認してしまうことが防止される（信号線がグランドレベルとされることにより、Ｘ線保護回路によるブラウン管の動作状況の監視が停止状態となるため）。従って、オートパワーオン機能を備えたＣＲＴ表示装置においても、オートパワーオン機能が正常に動作しないという問題が発生することを防止することができる。
【００２１】
本発明の請求項６の、前記停電検出回路に備えられる前記パワーフェイル信号を出力するパワーフェイル出力端子を、第１のトランジスタのベースに接続し、第１のトランジスタのコレクタに定電圧源を接続し、第１のトランジスタのエミッタをグランドと接続し、前記ブラウン管の動作状況を示す信号を前記Ｘ線保護回路へと入力する信号線とコレクタを接続される第２のトランジスタのベースと、第１のトランジスタのコレクタとを接続し、第２のトランジスタのエミッタをグランドと接続することによって、前記Ｘ線保護回路制御回路を構成したことを特徴とする請求項５記載のＣＲＴ表示装置によれば、２つのトランジスタによって、「Ｘ線保護回路制御回路」を構成することができるため、省スペース及び低コストにて「Ｘ線保護回路制御回路」を備えたＣＲＴ表示装置を提供することができる。
【発明を実施するための最良の形態】
【００２２】
以下、本発明の具体的実施例について、図面を参照しながら説明する。なお、以下の実施態様は、本発明を具体化する際の一形態であって、本発明をその範囲内に限定するためのものではない。
【実施例１】
【００２３】
図１は、本実施例のＣＲＴ表示装置の本発明に関する部分のみの概略を示したブロック図であり、図２は同ＣＲＴ表示装置の斜視図である。図３は同ＣＲＴ表示装置の本発明に関する動作の概略を示したフローチャートである。
【００２４】
図１に示されるように、本実施例のＣＲＴ表示装置１は、商用電源（外部電源）から電源コード１０ａを介して電力供給を受けて、装置全体への電源供給を行う電源部１０と、商用電源から電源部１０への電力の供給の有無を検出し当該検出結果をパワーフェイル信号として出力する停電検出回路２０と、装置全体の制御等を行うマイコン３０と、映像の表示を行うＣＲＴ７０と、ＣＲＴ７０へ供給する高電圧を発生させるフライバックトランス５０などを備える。ＣＲＴ７０には、カソードにヒータ７１が備えられ、当該ヒータ７１によって加熱されることにより発生した電子をビーム状に収束する電子銃（図示せず）などが備えられる。
【００２５】
電源部１０は、装置内に備えられる各部への、各部に応じた各電圧を供給するものであり（図では簡単化のため、電源供給ライン１１によって各部に給電されているような記載となっているが、実際には各電圧ごとに電源ラインが設けられる）、当該供給のオン／オフを、信号線１３を介してマイコン３０によって制御される（例えば、装置がスタンバイ状態である場合には、不要な部分への電力供給をカットするなど）。停電検出回路２０は、商用電源から電源部１０への電力の供給の有無を検出するものであり、本実施例では、商用電源からの電力供給がある場合はハイレベル信号（ＤＣ電圧）を、商用電源からの電力供給が停止した場合（例えば、停電時や、電源コード１０ａが抜かれた場合や、電源コード１０ａが接続された電源タップ３（図２）のスイッチ３ａがオフにされた場合など）にはローレベル信号を、パワーフェイル信号として出力する。
【００２６】
本実施例のＣＲＴ表示装置１は、ＣＲＴ７０から放射されるＸ線の量が人体に有害なレベルとなることを防止するために、ＣＲＴ７０の動作状況（本実施例では、ＣＲＴ７０のカソードに備えられるヒータ７１の電源電圧であって、フライバックトランス５０への電源ライン１１ｂの電圧）を監視し、当該動作状況が所定の条件に該当する場合には、装置の電源を強制的にオフ状態（いわゆるスタンバイ状態や、主電源のオフ状態）とするＸ線保護機能を有している。Ｘ線保護機能の動作の概略は、フライバックトランス５０への電源ライン１１ｂの電圧（本実施例では、通常時に１８Ｖ程度）を、分圧部４０によって分圧した（本実施例では１／９に分圧するものとする：すなわち通常時に２Ｖ程度がＸ線端子３１へと入力される）上で、マイコン３０のＸ線端子３１へと入力し、当該Ｘ線端子３１から得られる電圧値と、マイコン３０の電源電圧値（電源ライン１２の電圧値であり、本実施例では５Ｖ）に初期設定で定められた係数（装置の仕様・安全マージン等を考慮して細かく定められるものであるが、本実施例では１／２とする）を乗じた値（以下単にＢ）と、をマイコン３０によって比較し、Ｘ線端子３１の電圧値がＢを上回った（ヒータ電圧が異常値となっていることを示し、Ｘ線放射量が危険なレベルであると判断される）場合には、強制的に電源オフ処理（マイコン３０からの命令により電源部１０からの各部への電源供給を停止させる）を行うものである。従って、本実施例においては、電源ライン１１ｂ、分圧部４０、マイコン３０、信号線１３及び電源部１０に備えられるマイコン３０からの命令によって各部への電源供給をオン／オフするスイッチ回路が、“Ｘ線保護回路”を構成しているといえる。なお、電源ライン１２は、電源供給ライン１１のように、電源供給のオン／オフをマイコン３０によって制御されるラインではなく、外部電源からの電力供給があると、自動的に出力される電源である（外部電源からの給電の有無に応じて出力が上下する）。一方、電源供給ライン１１にはコンデンサ等が設けられ、給電が停止した後もある程度ラインの電位を保つことができる（なお、マイコン３０は電源ライン１１（１１ａ）からも電源供給を受ける）。
【００２７】
また、本実施例のＣＲＴ表示装置１は、外部電源からの給電が停止した場合（装置の電源コード１０ａが抜かれた等の場合）に、給電が停止した際の装置の状態（例えば、視聴していたチャンネルや音量レベルなど）を記憶しておき、再度外部電源からの給電が開始された場合に、自動的に“給電が停止した際の装置の状態”で装置を稼働させるオートパワーオン機能を備えている。オートパワーオン機能の動作の概略は、停電検出回路２０により、外部電源からの給電停止が検出された（マイコン３０のパワーフェイル端子３２にローレベル信号が入力された）際に、装置の状態（電源のオン／オフ若しくはスタンバイ等の状態の別や、選択されているチャンネル・音量レベルの状態など）を検出し、これをマイコン内部メモリ又は不揮発性メモリ（図示せず）などに記憶させておき、外部電源からの給電が再開された場合には、当該マイコン内部メモリ又は不揮発性メモリに記憶させていた装置の状態で、自動的に装置を稼働させるものである。
【００２８】
次に、本実施例のＣＲＴ表示装置１の、Ｘ線保護機能の動作の本発明に関する部分の概略を、図３を参照しつつ説明する。ステップ３０１では、停電検出回路２０からパワーフェイル端子３２に入力されるパワーフェイル信号がローレベルであるか否かの判断を行う。パワーフェイル信号がハイレベルである場合（外部電源から給電されている場合）には、ステップ３０２へと移行し、電源ライン１２が接続される電源端子３３の電圧値（本実施例では通常時５Ｖ）に初期設定で定められた係数ａ（本実施例では１／２）を乗じた値（すなわち本実施例では通常時に２．５Ｖとなる）をＢへと代入する。続くステップ３０３では、Ｘ線端子３１の電圧値（前述したごとく本実施例では通常時２Ｖ程度）がＢより小さいか否かを判別し、これが肯定である場合（ＣＲＴ７０の動作が平常状態であることを示す）にはステップ３０１の処理へと戻る。これに対し、Ｘ線端子３１の電圧値がＢより大きい場合には、強制的に装置の電源をオフ状態（スタンバイ状態若しくは主電源オフ状態）とする処理を行う（ステップ３０４）。ステップ３０１における判断が肯定である場合（外部電源からの給電がない場合）には、ステップ３０２〜３０４の処理を行わずに、処理を終了する（ＣＲＴ７０の動作状況の監視を停止する）。
【００２９】
図４には、外部電源からの給電が停止した際の、マイコン３０に備えられる各端子の電圧値の推移の概略を示した。同図に示されるように、ｔ０において外部電源からの給電が停止すると、マイコン３０は電源オフ処理（給電停止を受けて行う装置内の各部の電源オフ処理や各部の設定・状態等を記憶する処理など）を行う。当該電源オフ処理（ｔ０〜ｔ３の期間）中のｔ２において、オートパワーオン機能のための、装置の状態（電源のオン／オフ若しくはスタンバイの状態や、選択されているチャンネル・音量レベルの状態など）の検出が行われる。一方で、外部電源からの給電が停止するとこれに伴いマイコン３０の電源端子３３の電位も低下を始め、電源端子３３の電位の低下に従いＢの値（電源端子３３の電圧値×係数ａ）も低下することとなるが、Ｘ線端子３１の電位は、電源ライン１１に設けられるコンデンサ（図示せず）の放電により、給電停止後もしばらくは電位の低下が生じない（低下が緩やか）。従って、Ｂの値がＸ線端子３１の電圧値を下回ってしまい（図中ｔ１時）、Ｘ線保護回路が誤作動をしてしまう（Ｘ線放射が危険レベルと判断し、強制電源オフ処理を行ってしまう）場合があった。これにより、図中に示されるようにｔ２よりｔ１の方が早期である場合には、ｔ０時の装置の状態に拘らずｔ２時には電源オフ状態となっているため、オートパワーオン機能がうまく機能しない（ｔ０時の装置の状態に拘らず、“電源オフ状態”であるとマイコンが判断してしまう）状況が生じ得るものであった。
【００３０】
これに対し本実施例のＣＲＴ表示装置１によれば、前述のごとく、外部電源からの給電が停止した場合（図４中のｔ０時）には、ＣＲＴ７０の動作状況（Ｘ線端子３１）の監視を停止（ステップ３０１によりステップ３０２以降をスキップ）するため、図４中に示されるような状況となっても、ｔ１時にＸ線保護機能によって装置を強制的に電源オフ状態とされることがなく、ｔ０時からｔ２時の間にＸ線保護機能によって装置の状態が変化することが無い。従って、外部電源からの給電が停止した際に、Ｘ線保護機能によってオートパワーオン機能の動作が阻害されるということを防止することができる。
【００３１】
なお、本発明における“ＣＲＴの動作状況の監視の停止”は、監視の“完全な”停止に限定するというものではなく、例えば、「Ｂの値≦Ｘ線端子３１の電圧」とならないように各値を変更する（Ｂを大きな値に変更する若しくはＸ線端子３１を強制的にローレベルとする等）処理を行う、又は、ステップ３０３の処理がｔ０からｔ３（厳密にはｔ２）の間に行われないように処理を遅延させる等により、“実質的に監視の停止を行っているもの”を含むものである。また、“ＣＲＴの動作状況の監視”を停止しなくとも、「Ｘ線保護機能による装置の強制的電源オフ」が行われなければ、上述と同様の効果が得られるため、図５に示したように、ステップ３０１の処理をステップ３０３の後（ステップ３０１がステップ３０４の前にあればよく、ステップ３０２の後にステップ３０１が行われても構わない）に行うようにしても良い。
【実施例２】
【００３２】
図６は本実施例のＣＲＴ表示装置の本発明に関する部分のみの概略を示したブロック図であり、図７は、Ｘ線保護回路制御回路の構成を示す回路ブロック図である。なお、実施例１と同様の構成要素については実施例１と同一の符号を使用し、ここでの説明を省略する。
【００３３】
Ｘ線保護回路制御回路６０は、図７に示されるように、停電検出回路２０に備えられるパワーフェイル信号を出力するパワーフェイル出力端子２１を、トランジスタ６１（第１のトランジスタ）のベースに接続し、トランジスタ６１のコレクタに定電圧源６３（整流・平滑回路６３ａ介して５Ｖの電源ラインに接続されるものである。なお、名称を「定電圧源」としているが、本発明中の動作においては、主に外部電源からの給電が無くなった際のバックアップ用電源として動作するものであり、整流・平滑回路６３ａに備えられるコンデンサに蓄えられた電荷の放電によって給電停止後もトランジスタ６２をオンにするためのものである。）を接続し、トランジスタ６１のエミッタをグランドと接続し、Ｘ線端子３１とコレクタを接続されるトランジスタ６２（第２のトランジスタ）のベースと、トランジスタ６１のコレクタとを接続し、トランジスタ６２のエミッタをグランドと接続することによって、構成される。
【００３４】
次に、上記構成のＸ線保護回路制御回路６０の動作の概略を説明する。パワーフェイル出力端子２１からのパワーフェイル信号がハイレベルである（外部電源からの給電が行われている）場合には、トランジスタ６１がオンとなり、これによりトランジスタ６２のベースがグランドに接続される（正確にはトランジスタ６１による電圧降下分だけグランド電位より高い）ため、トランジスタ６２はオフとなる。従って、外部電源からの給電がある場合には、分圧部４０からの出力がＸ線端子３１に入力されることとなる。これに対し、パワーフェイル信号がローレベル（給電停止）である場合には、トランジスタ６１がオフとなり、これによりトランジスタ６２がオンとなるため、Ｘ線端子３１がグランドに接続されることとなる。
【００３５】
従って、本実施例のＣＲＴ表示装置によれば、図８に示されるように、外部電源からの給電が停止した際（ｔ０）に、Ｘ線端子３１がグランドレベルとされるため、ｔ０とｔ２の間において、「Ｂの値がＸ線端子３１の電圧値を下回る」ということがなく、Ｘ線保護機能によってオートパワーオン機能の動作が阻害されるということを防止することができる。また、Ｘ線保護回路制御回路６０の動作において、マイコンの処理若しくはマイコンの制御を受ける素子が介在しないため、迅速且つ確実に、Ｘ線保護機能によるオートパワーオン機能の動作の阻害を防止することができると共に、マイコン３０の処理の変更をする必要が無い（Ｘ線保護回路は従来通りの構成でよい）。
【００３６】
なお、図９には、別のＸ線保護回路制御回路の一例を示した。当該Ｘ線保護回路制御回路９０の動作の概略は、マイコン３０が、停電検出回路２０からのパワーフェイル信号がローレベルであることを検知した際に、トランジスタ９１のベースをハイレベルとすることでトランジスタ９１をオンとし、Ｘ線端子３１をグランドレベルとするものである。これにより、図８に示されるのと同様の遷移となる。
【００３７】
本実施例では、トランジスタ６２（若しくはトランジスタ９１）のコレクタを接続する箇所を、Ｘ線端子３１としているが、Ｘ線端子３１に入力される信号がローレベルとされればよいものであるので、分圧部４０とＦＢＴ５０の間のライン（電源ライン１１ｂ）に接続されるものであってもよい。
【００３８】
実施例中では、ＣＲＴの動作状況の監視として、「ＣＲＴ７０のカソードに備えられるヒータ７１の電源電圧であって、フライバックトランス５０への電源ライン１１ｂの電圧」を監視するものとしているが、その他のＣＲＴ部分の動作電圧を監視するもの（例えば、ＣＲＴに印加される高電圧を監視する場合等）においても同様の処理概念で本発明を適用することができる。また、実施例中では電源ライン１１ｂの電圧を分圧部４０で分圧して（電圧を調整して）マイコンに入力するものとしているが、各回路の設計（例えば、電源ライン１１ｂ若しくは電源ライン１２から得られる電圧値や、マイコンの仕様の違い等）によっては、分圧・調整の必要が無い場合もあり、分圧部４０は必ずしも必要なものではない。
【図面の簡単な説明】
【００３９】
【図１】実施例１のＣＲＴ表示装置の本発明に関する部分のみの概略を示したブロック図
【図２】ＣＲＴ表示装置の斜視図
【図３】ＣＲＴ表示装置の本発明に関する動作の概略を示したフローチャート
【図４】外部電源からの給電が停止した際の、マイコン３０に備えられる各端子の電圧値の推移の概略を示す図
【図５】ＣＲＴ表示装置の本発明に関する別の動作の概略を示したフローチャート
【図６】実施例２のＣＲＴ表示装置の本発明に関する部分のみの概略を示したブロック図
【図７】Ｘ線保護回路制御回路の構成を示す回路ブロック図
【図８】外部電源からの給電が停止した際の、マイコン３０に備えられる各端子の電圧値の推移の概略を示す図
【図９】別のＸ線保護回路制御回路の構成を示す回路ブロック図
【符号の説明】
【００４０】
１      ＣＲＴ表示装置
１０    電源部
１０ａ  電源コード
２０    停電検出回路
２１    パワーフェイル出力端子
３０    マイコン
３１    Ｘ線端子
３２    パワーフェイル端子
３３    電源端子
５０    フライバックトランス
６０    Ｘ線保護回路制御回路
６１    トランジスタ（第１のトランジスタ）
６２    トランジスタ（第２のトランジスタ）
６３    定電圧源
７０    ＣＲＴ（ブラウン管）
７１    ヒータ
【図１】
2006227537.tif 000003
【図２】
2006227537.tif 000004
【図３】
2006227537.tif 000005
【図４】
2006227537.tif 000006
【図５】
2006227537.tif 000007
【図６】
2006227537.tif 000008
【図７】
2006227537.tif 000009
【図８】
2006227537.tif 000010
【図９】
2006227537.tif 000011